(57)【要約】  本発明の掃除機は、空気と埃を案内する吸入部と、前記吸入部を介して吸入された空気と埃を分離させる第１サイクロン部を備える本体と、前記本体に分離可能に連結され、前記第１サイクロン部から排出された空気から埃を分離させる第２サイクロン部を備える埃分離モジュールとを含む。
2021511945.tif 000002
【特許請求の範囲】
【請求項１】
掃除機であって、
空気と埃を案内する吸入部と、
前記吸入部を介して吸入された空気と埃を分離させる第１サイクロン部を備える本体と、
前記本体に分離可能に連結され、前記第１サイクロン部から排出された空気から埃を分離させる第２サイクロン部とを備えた埃分離モジュールと、を備えてなる、掃除機。
【請求項２】
前記埃分離モジュールが前記本体に装着された状態で、前記埃分離モジュールは、前記第１サイクロン部の内側空間に位置される、請求項１に記載の掃除機。
【請求項３】
前記本体は、
前記第１サイクロン部から分離した埃を貯蔵するダストボックスと、
前記ダストボックスを開閉するカバーと、を備え、
前記カバーが前記ダストボックスを開放させると、前記埃分離モジュールが外部に露出する、請求項１に記載の掃除機。
【請求項４】
前記ダストボックスは、排出開口を備え、
前記埃分離モジュールは、前記排出開口を介して前記ダストボックスの下方に分離される、請求項３に記載の掃除機。
【請求項５】
前記本体は、
吸入力を発生させるための吸入モータと、
前記吸入モータを収容するモータハウジングと、
前記埃分離モジュールが連結され、前記埃分離モジュールから排出される空気を案内する排出ガイドと、を更に備え、
前記モータハウジングの少なくとも一部は、前記排出ガイド内に位置され、
前記埃分離モジュールが前記本体と分離されると、前記モータハウジングが外部に露出する、請求項１に記載の掃除機。
【請求項６】
前記モータハウジングは、
前記吸入モータの上側を取り囲む上部モータハウジングと、
前記吸入モータの下側をカバーする下部モータハウジングと、を備え、
前記排出ガイドは、前記下部モータハウジングを取り囲み、前記第２サイクロン部から排出された空気の流路を形成する、請求項５に記載の掃除機。
【請求項７】
前記吸入部の長手方向の軸は、前記排出ガイドを貫通する、請求項５に記載の掃除機。
【請求項８】
前記埃分離モジュールは、前記第１サイクロン部で埃と分離された空気をフィルタリングするフィルタ部を更に備えてなる、請求項１に記載の掃除機。
【請求項９】
前記フィルタ部は、前記第２サイクロン部を取り囲む、請求項８に記載の掃除機。
【請求項１０】
前記本体は、前記埃分離モジュールが連結され、前記埃分離モジュールから排出される空気を案内する排出ガイドを更に備え、
前記埃分離モジュールは、前記第２サイクロン部と連結され、前記排出ガイドに結合される連結モジュールを更に備えてなる、請求項８に記載の掃除機。
【請求項１１】
前記排出ガイドは、前記連結モジュールと結合されるための第１結合部を備え、
前記連結モジュールは、前記第１結合部と結合されるための第２結合部を備え、
前記連結モジュールの回転動作によって前記第１結合部と前記第２結合部の結合が完了するように、前記第２結合部は、
前記第１結合部が収容される第１溝と、
前記第１結合部が前記第１溝に収容される方向と交差する方向に前記第１溝から延長される第２溝と、を備えてなる、請求項１０に記載の掃除機。
【請求項１２】
前記連結モジュールと前記排出ガイドの間で空気の漏れを防止するためのシールを更に備えてなる、請求項１１に記載の掃除機。
【請求項１３】
前記排出ガイドには、前記シールが設置されるシール結合部が備えられ、
前記連結モジュールは、
前記第２サイクロン部をカバーするカバー部と、
前記カバー部から延長され、前記第２結合部が形成される連結部と、を備え、
前記シールは、前記カバー部に接触する、請求項１２に記載の掃除機。
【請求項１４】
前記第１結合部が前記第１溝で前記第２溝と整列される位置に位置すると、
前記シールは加圧され、前記シールが加圧された状態で前記連結モジュールの回転動作によって前記第１結合部が前記第２溝に収容される、請求項１１に記載の掃除機。
【請求項１５】
前記埃分離モジュールは、前記第２サイクロン部に結合され、前記第２サイクロン部から分離された埃を貯蔵する貯蔵ユニットを更に備えてなる、請求項１０に記載の掃除機。
【請求項１６】
前記フィルタ部の上端は、前記連結モジュールに接触し、
前記フィルタ部の下端は、前記貯蔵ユニットに安着する、請求項１５に記載の掃除機。
【請求項１７】
掃除機であって、
空気と埃を案内する吸入部と、
前記吸入部を介して空気が吸入されるようにするための吸入力を発生させる吸入モータと、
前記吸入モータを収容するモータハウジングと、
前記吸入部を介して吸入された空気から埃を分離させる第１サイクロン部と、
前記第１サイクロン部から排出された空気から埃を分離させる第２サイクロン部と、
前記第２サイクロン部が結合され、前記モータハウジングの少なくとも一部を取り囲む排出ガイドと、を備えてなり、
前記排出ガイドと前記モータハウジングの間には、前記第２サイクロン部から排出された空気を案内する流路が形成される、掃除機。
【請求項１８】
前記モータハウジングは、
前記吸入モータの上側一部をカバーする上部モータハウジングと、
前記吸入モータの下側一部をカバーする下部モータハウジングと、を備え、
前記排出ガイドは、前記下部モータハウジングを取り囲む、請求項１７に記載の掃除機。
【請求項１９】
掃除機であって、
空気と埃を案内する吸入部と、
前記吸入部を介して吸入された空気から埃を分離させる第１サイクロン部と、
前記第１サイクロン部から排出された空気から埃を分離させる第２サイクロン部を備えた埃分離モジュールと、
前記埃分離モジュールが分離可能に結合され、前記第２サイクロン部から排出された空気を案内する排出ガイドと、を備え、
前記排出ガイドは、前記埃分離モジュールと結合されるための第１結合部を備え、
前記埃分離モジュールは、前記第１結合部と結合されるための第２結合部を備えてなる、掃除機。
【請求項２０】
前記第２結合部は、
前記第１結合部が収容される第１溝と、
前記第１結合部が前記第１溝に収容される方向と交差する方向に前記第１溝から延長される第２溝と、を備えてなる、請求項１９に記載の掃除機。
【発明の詳細な説明】
【技術分野】
【０００１】
本発明は、掃除機に関するものである。
【背景技術】
【０００２】
掃除機は、掃除対象領域の埃や異物を吸入または拭いて掃除を行う機器である。
【０００３】
このような掃除機は、使用者が直接掃除機を移動させながら掃除を行う手動掃除機と、自ら走行しながら掃除を行う自動掃除機とに区分することができる。
【０００４】
また、手動掃除機は、掃除機の形態に応じて、キャニスター型掃除機、アップライト型掃除機、ハンディ型掃除機、スティック型掃除機等に区分することができる。
【０００５】
先行文献である韓国公開特許公報第１０‐２００９‐００２６２０９号には、遠心分離装置が開示される。前記遠心分離装置は、ハンドヘルド掃除機の一部を構成する。
【０００６】
前記遠心分離装置は、壁を有するサイクロンと、前記サイクロンの一端を閉鎖するベースを含む。
【０００７】
前記サイクロン内部には蓋が備えられる。前記蓋は、複数の貫通孔を有する円筒状壁と、前記円筒状壁の内側に位置される内壁を含む。
【０００８】
前記遠心分離装置は、追加的なサイクロンアセンブリをさらに含み、追加的なサイクロンアセンブリは円錐状開口部を含む。前記円錐状開口部は、前記蓋の内壁を貫通するように配置され、内壁が形成する通路と連通する。
【０００９】
そして、前記通路の下側には、集塵機が配置される。前記集塵機の内部は、前記ベースによって囲まれる。
【００１０】
前記追加的なサイクロンアセンブリによって空気から埃が分離されるが、前記追加的なサイクロンアセンブリによって分離される埃が円錐状開口部を塞いでしまうことがある。この場合、前記円錐状開口部の掃除が必要である。
【００１１】
ところが、先行文献では、前記ベースが回転して前記集塵機内部を開放しても、前記集塵機の上側に位置された蓋内に前記円錐状開口部が位置されることで、使用者が円錐状開口部に接近に難い問題がある。
【発明の概要】
【発明が解決しようとする課題】
【００１２】
本実施例は、第２サイクロン部を備える埃分離モジュールを本体から分離することができ、第２サイクロン部の掃除が可能な掃除機を提供する。
【００１３】
本実施例は、空気をフィルタリングするフィルタ部が第２サイクロン部と一緒に分離されるので、フィルタ部の掃除が可能な掃除機を提供する。
【００１４】
本実施例は、埃分離モジュールが使用者によって容易に分離され、本体に結合された状態では結合状態が維持される掃除機を提供する。
【００１５】
本実施例は、別途の固定手段なしにフィルタ部の位置を固定できる掃除機を提供する。
【００１６】
本実施例は、第２サイクロン部が本体に装着された状態では本体に備えられて第２サイクロン部が結合される排出ガイドと第２サイクロン部の接触部におけるシールが維持される掃除機を提供する。
【課題を解決するための手段】
【００１７】
一側面による掃除機は、空気と埃を案内する吸入部と、前記吸入部を介して吸入された空気と埃を分離させる第１サイクロン部を備える本体と、前記本体に分離可能に連結され、前記第１サイクロン部から排出された空気から埃を分離させる第２サイクロン部を備える埃分離モジュールとを含むことができる。
【００１８】
前記埃分離モジュールが前記本体に装着された状態で、前記埃分離モジュールは、前記第１サイクロン部の内側空間に位置される。
【００１９】
前記本体は、前記第１サイクロン部から分離した埃を貯蔵するダストボックスと、前記ダストボックスを開閉するカバーを含むことができる。
【００２０】
前記カバーが前記ダストボックスを開放させると、前記埃分離モジュールが外部に露出する。
【００２１】
前記ダストボックスは、排出開口を含むことができる。前記埃分離モジュールは、前記排出開口を介して前記ダストボックスの下方に分離される。
【００２２】
本実施例で、前記本体は、吸入力を発生させるための吸入モータと、前記吸入モータを収容するモータハウジングと、前記埃分離モジュールが連結され、前記埃分離モジュールから排出される空気を案内する排出ガイドとをさらに含むことができる。
【００２３】
前記モータハウジングの少なくとも一部は、前記排出ガイド内に位置される。
【００２４】
前記埃分離モジュールが前記本体と分離されると、前記モータハウジングが外部に露出する。
【００２５】
前記モータハウジングは、前記吸入モータの上側を取り囲む上部モータハウジングと、前記吸入モータの下側をカバーする下部モータハウジングを含むことができる。
【００２６】
前記排出ガイドは、前記下部モータハウジングを取り囲み、前記第２サイクロン部から排出された空気の流路を形成することができる。
【００２７】
前記吸入部の長手方向の軸は、前記排出ガイドを貫通することができる。
【００２８】
前記埃分離モジュールは、前記第１サイクロン部で埃と分離された空気をフィルタリングするフィルタ部をさらに含むことができる。
【００２９】
前記フィルタ部は、前記第２サイクロン部を取り囲むことができる。
【００３０】
前記埃分離モジュールは、前記第２サイクロン部と連結され、前記排出ガイドに結合される連結モジュールをさらに含むことができる。
【００３１】
前記排出ガイドは、前記連結モジュールと結合されるための第１結合部を含み、前記連結モジュールは、前記第１結合部と結合されるための第２結合部を含むことができる。
【００３２】
前記連結モジュールの回転動作によって前記第１結合部と前記第２結合部の結合が完了する。前記第２結合部は、前記第１結合部が収容される第１溝と、前記第１結合部が前記第１溝に収容される方向と交差する方向に前記第１溝から延長される第２溝を含むことができる。
【００３３】
前記連結モジュールと前記排出ガイドの間で空気の漏れを防止するためのシールをさらに含むことができる。
【００３４】
前記排出ガイドには、前記シールが設置されるシール結合部が備えられる。前記連結モジュールは、前記第２サイクロン部をカバーするカバー部と、前記カバー部から延長され、前記第２結合部が形成される連結部を含むことができる。前記シールは、前記カバー部に接触することができる。
【００３５】
前記第１結合部が前記第１溝で前記第２溝と整列される位置に位置すると、前記シールは加圧され、前記シールが加圧された状態で前記連結モジュールの回転動作によって前記第１結合部が前記第２溝に収容される。
【００３６】
前記埃分離モジュールは、前記第２サイクロン部に結合され、前記第２サイクロン部から分離された埃を貯蔵する貯蔵ユニットをさらに含むことができる。
【００３７】
前記フィルタ部の上端は、前記連結モジュールに接触し、前記フィルタ部の下端は、前記貯蔵ユニットに安着することができる。
【００３８】
他側面による掃除機は、空気と埃を案内する吸入部と、前記吸入部を介して空気が吸入されるようにするための吸入力を発生させる吸入モータと、前記吸入モータを収容するモータハウジングと、前記吸入部を介して吸入された空気から埃を分離させる第１サイクロン部と、前記第１サイクロン部から排出された空気から埃を分離させる第２サイクロン部と、前記第２サイクロン部が結合され、前記モータハウジングの少なくとも一部を取り囲む排出ガイドとを含むことができる。
【００３９】
前記排出ガイドと前記モータハウジングの間には、前記第２サイクロン部から排出された空気を案内する流路が形成される。
【００４０】
前記モータハウジングは、前記吸入モータの上側一部をカバーする上部モータハウジングと、前記吸入モータの下側一部をカバーする下部モータハウジングを含むことができる。前記排出ガイドは、前記下部モータハウジングを取り囲むことができる。
【００４１】
さらに別の側面による掃除機は、空気と埃を案内する吸入部と、前記吸入部を介して吸入された空気から埃を分離させる第１サイクロン部と、前記第１サイクロン部から排出された空気から埃を分離させる第２サイクロン部を備える埃分離モジュールと、前記埃分離モジュールが分離可能に結合され、前記第２サイクロン部から排出された空気を案内する排出ガイドとを含むことができる。
【００４２】
前記排出ガイドは、前記埃分離モジュールと結合されるための第１結合部を含み、前記埃分離モジュールは、前記第１結合部と結合されるための第２結合部を含むことができる。
【００４３】
前記第２結合部は、前記第１結合部が収容される第１溝と、前記第１結合部が前記第１溝に収容される方向と交差する方向に前記第１溝から延長される第２溝を含むことができる。
【発明の効果】
【００４４】
提案される発明によれば、第２サイクロン部を含む埃分離モジュールを本体と分離することができ、第２サイクロン部の掃除が容易な長所がある。
【００４５】
また、第２サイクロン部を取り囲むフィルタ部を第２サイクロン部と一緒に本体から分離することができ、フィルタ部の掃除も可能な長所がある。
【００４６】
また、埃分離モジュールが本体から分離されると、ダストボックス内部に何の構造物が存在しないので、ダストボックス内周面の掃除が容易な長所がある。
【００４７】
また、排出ガイドまたは埃分離モジュールにシールが備えられるので、埃分離モジュールが本体に装着された状態では排出ガイドと埃分離モジュールの接触部におけるシールが維持される。
【００４８】
特に、シールが加圧された状態で、埃分離モジュールの回転によって埃分離モジュールが本体に結合されるので、シール性能が向上される長所がある。
【００４９】
また、シールが加圧された状態で埃分離モジュールが本体に結合されると、結合のための排出ガイドの第１結合部と第１溝の間の摩擦力が増加して、結合された状態が安定的に維持される。
【００５０】
また、フィルタ部の上端は連結モジュールに接触し、フィルタ部の下端は貯蔵ユニットに安着するので、フィルタ部の位置を固定するための別途の固定手段が不必要で、構造が簡単となる長所がある。
【図面の簡単な説明】
【００５１】
【図１】本発明の一実施例に係る掃除機の斜視図である。
【図２】本発明の一実施例に係る掃除機の側面図である。
【図３】本発明の一実施例に係る掃除機の平面図である。
【図４】本発明の一実施例に係る掃除機を下側から見た斜視図である。
【図５】本発明の一実施例に係る掃除機の縦断面図である。
【図６】本発明の一実施例に係るボディカバーが回転した状態を示す図面である。
【図７】本発明の一実施例に係る埃分離モジュールが本体から分離される様子を示す図面である。
【図８】本発明の一実施例に係る埃分離モジュールが本体から分離される様子を示す図面である。
【図９】本発明の一実施例に係る埃分離モジュールの分解斜視図である。
【図１０】本発明の一実施例に係る埃分離モジュールの断面斜視図である。
【図１１】本発明の一実施例に係る埃分離モジュールが排出ガイドに結合された状態を示す断面図である。
【図１２】本発明の一実施例に係る掃除機における空気流動を示すための掃除機の横断面図である。
【図１３】本発明の一実施例に係る掃除機における空気流動を示すための掃除機の縦断面図である。
【発明を実施するための形態】
【００５２】
以下、本発明の一部実施例を例示的な図面を参照して詳細に説明する。各図面において、同じ構成要素に対しては同じ符号を付する。また、本発明の実施例の説明において、係る公知構成または機能に対する具体的な説明が、本発明の実施例の理解を妨害すると判断される場合には、その詳細な説明は省略する。
【００５３】
また、本発明の実施例の構成要素の説明において、第１、第２、Ａ、Ｂ、(ａ)、(ｂ)等の用語を用いることができる。このような用語は、その構成要素を他の構成要素と区別するためのものであり、その用語によって当該構成要素の本質または順序等が限定されるものではない。ある構成要素が他の構成要素に「連結」、「結合」または「接続」されると記載された場合、その構成要素は他の構成要素に直接的に連結または接続される場合と、各構成要素の間にさらに他の構成要素が「連結」、「結合」または「接続」される場合を全て含む。
【００５４】
図１は本発明の一実施例に係る掃除機の斜視図であり、図２は本発明の一実施例に係る掃除機の側面図であり、図３は本発明の一実施例に係る掃除機の平面図であり、図４は本発明の一実施例に係る掃除機を下側から見た斜視図であり、図５は本発明の一実施例に係る掃除機の縦断面図である。
【００５５】
図１〜図５を参照すると、本発明の一実施例に係る掃除機１は、本体２を含むことができる。
【００５６】
前記掃除機１は、前記本体２の前方に結合される吸入部(suction inlet)５をさらに含むことができる。前記吸入部５は、埃を含む空気を前記本体２に案内することができる。前記吸入部５には、図示されていない吸入管またはノズルが結合されてもよい。
【００５７】
前記掃除機１は、前記本体２に結合されるハンドル部３をさらに含むことができる。前記ハンドル部３は、前記本体２で前記吸入部５の反対側に位置される。
【００５８】
即ち、前記吸入部５と前記ハンドル部３の間に前記本体２が配置される。
【００５９】
前記本体２は、第１ボディ１０と、前記第１ボディ１０の上側に位置される第２ボディ１２を含むことができる。前記第１ボディ１０と前記第２ボディ１２は、直接結合されてもよく、中間の媒介部材によって間接的に連結されてもよい。
【００６０】
前記第１ボディ１０と前記第２ボディ１２は、制限されるものではないが、円筒状に形成されてもよい。
【００６１】
そして、前記第１ボディ１０と前記第２ボディ１２のそれぞれは、上側及び下側が開口される。即ち、前記各ボディ１０、１２は、上側開口及び下側開口を含むことができる。
【００６２】
そして、前記吸入部５の中央部が概略的に前記第１ボディ１０と前記第２ボディ１２の境界部に位置されるように、前記吸入部５が前記本体２に結合される。
【００６３】
前記本体２は、前記吸入部５を介して吸入された空気から埃を分離する埃分離部をさらに含むことができる。
【００６４】
前記埃分離部は、一例としてサイクロン流動によって埃を分離できる第１サイクロン部１１０を含むことができる。このとき、前記第１ボディ１０が前記第１サイクロン部１１０を含む。
【００６５】
前記吸入部５を介して吸入される空気と埃は、前記第１サイクロン部１１０の内周面に沿って螺旋流動することになる。
【００６６】
前記第１サイクロン部１１０のサイクロン流動の軸は、上下方向に延長される。
【００６７】
前記埃分離部は、前記第１サイクロン部１１０で一次的に埃と分離された空気から埃を再度分離する埃分離モジュール７００をさらに含むことができる。
【００６８】
前記埃分離モジュール７００は、第２サイクロン部７３０をさらに含むことができる。このとき、前記埃分離部の大きさが最小化されるように、前記第２サイクロン部７３０は、前記第１サイクロン部１１０の内部に位置される。
【００６９】
前記第１ボディ１０は、前記各サイクロン部１１０、７３０から分離された埃を貯蔵するダストボックス１２０をさらに含むことができる。一例として、前記第１ボディ１０の上側部が第１サイクロン部１１０であり、前記第１ボディ１０の下側部が前記ダストボックス１２０であってもよい。
【００７０】
前記本体２は、前記ダストボックス１２０の下側を開閉するボディカバー１６をさらに含むことができる。前記ボディカバー１６は、回転動作によって前記ダストボックス１２０を開閉することができる。前記ダストボックス１２０には、前記ボディカバー１６を回転させるために操作するボタン１８が備えられてもよい。
【００７１】
前記ボディカバー１６のヒンジ１６ａはバッテリーハウジング６０に備えられたヒンジ結合部６２０に結合される。
【００７２】
前記第２サイクロン部７３０の少なくとも一部は、前記第１ボディ１０内に位置される。
【００７３】
前記埃分離モジュール７００は、前記第１サイクロン部１１０で埃と分離された空気を前記第２サイクロン部７３０に案内することができる。
【００７４】
また、前記埃分離モジュール７００は、前記第１サイクロン部１１０から前記第２サイクロン部７３０に流動する空気をフィルタリングすることができる。このために、前記埃分離モジュール７００は、フィルタ部７１０をさらに含むことができる。
【００７５】
また、前記埃分離モジュール７００は、前記第２サイクロン部７３０から分離された埃を貯蔵することができる。このために、前記埃分離モジュール７００は、貯蔵ユニット７７０をさらに含むことができる。
【００７６】
前記フィルタ部７１０は、前記第２サイクロン部７３０を取り囲むことができる。
【００７７】
前記貯蔵ユニット７７０は、前記ボディカバー１６の上面に接触することができる。前記貯蔵ユニット７７０は、前記第１ボディ１０の内部の空間を前記第１サイクロン部１１０から分離された埃が貯蔵される第１埃貯蔵部１２１と、前記第２サイクロン部７３０から分離された埃が貯蔵される第２埃貯蔵部１２３とに区画することができる。
【００７８】
前記貯蔵ユニット７７０が形成する空間が前記第２埃貯蔵部１２３であり、前記貯蔵ユニット７７０と前記第１ボディ１０の間の空間が第１埃貯蔵部１２１である。
【００７９】
前記ボディカバー１６は、前記第１埃貯蔵部１２１と前記第２埃貯蔵部１２３を一緒に開閉することができる。
【００８０】
前記掃除機１は、吸入力を発生させるための吸入モータ２０と、前記吸入モータ２０に電源を供給するためのバッテリー４０をさらに含むことができる。
【００８１】
前記吸入モータ２０は、前記第２ボディ１２内に位置される。そして、前記吸入モータ２０の少なくとも一部は、前記埃分離部の上側に位置される。よって、前記吸入モータ２０は、前記第１ボディ１０の上方に位置される。
【００８２】
前記吸入モータ２０は、前記第２サイクロン部７３０の空気出口と連通される。
【００８３】
このために、前記本体２は、前記第２サイクロン部７３０と連通される排出ガイド２８と、前記排出ガイド２８と連通される流動ガイド２２をさらに含むことができる。
【００８４】
前記排出ガイド２８は、前記第２サイクロン部７３０から排出された空気を前記吸入モータ２０側に案内する。
【００８５】
一例として、前記排出ガイド２８は、前記第２サイクロン部７３０の上側に位置され、前記流動ガイド２２は、前記排出ガイド２８の上側に位置される。そして、一例として、前記排出ガイド２８に前記埃分離モジュール７００が分離可能に結合される。
【００８６】
前記吸入部５の長手方向の軸Ａ１は、前記排出ガイド２８を貫通することができる。
【００８７】
そして、前記吸入モータ２０の少なくとも一部は、前記流動ガイド２２の内部に位置される。
【００８８】
よって、前記埃分離部のサイクロン流動の軸は、前記吸入モータ２０を貫通することができる。
【００８９】
前記吸入モータ２０が前記第２サイクロン部７３０の上側に位置されると、前記第２サイクロン部７３０から排出された空気が直接前記吸入モータ２０側に流動することができ、前記第２サイクロン部７３０と前記吸入モータ２０の間の流路が最小化される。
【００９０】
前記吸入モータ２０は、回転動作するインペラ２００を含むことができる。前記インペラ２００は、シャフト２０２に連結される。前記シャフト２０２は、上下方向に延長されるように配置される。
【００９１】
前記シャフト２０２の延長線(インペラ２００の回転軸ということもできる)は、前記第１ボディ１０を通過することができる。このとき、前記インペラ２００の回転軸と前記埃分離部の第１サイクロン部１１０から発生するサイクロン流動の軸は、同一線上に位置される。
【００９２】
本実施例によれば、前記埃分離部から排出された空気、即ち、第２サイクロン部７３０から上方に排出された空気が前記吸入モータ２０側に流動する経路が減り、空気の方向変化が減少し、空気の流動損失が減少する長所がある。
【００９３】
空気の流動損失が減る場合、吸入力が増加し、前記吸入モータ２０に電源を供給するためのバッテリー４０の使用時間が増加する。
【００９４】
前記掃除機１は、前記吸入モータ２０を収容するモータハウジングをさらに含むことができる。
【００９５】
前記モータハウジングは、前記吸入モータ２０の上側一部をカバーする上部モータハウジング２６と、前記吸入モータ２０の下側一部をカバーする下部モータハウジング２７を含むことができる。前記吸入モータ２０は、前記各モータハウジング２６、２７の内部に収容され、前記流動ガイド２２は、前記上部モータハウジング２６を取り囲むように配置される。
【００９６】
前記モータハウジングの一部は、前記排出ガイド２８内に位置される。一例として、前記下部モータハウジング２７の少なくとも一部が前記排出ガイド２８内に位置される。即ち、前記排出ガイド２８は、前記下部モータハウジング２７を取り囲むことができる。
【００９７】
前記下部モータハウジング２７の外面は、前記排出ガイド２８と離隔して、前記下部モータハウジング２７の外面と前記排出ガイド２８の間に空気が流動できる流路２８２ａが形成される。
【００９８】
前記排出ガイド２８は、下側開口２８２を含むことができる。前記第２サイクロン部７３０から排出された空気は、前記下側開口２８２を通過することができる。
【００９９】
前記流動ガイド２２の少なくとも一部は、前記上部モータハウジング２６と離隔することができる。また、前記流動ガイド２２の少なくとも一部は、前記第２ボディ１２と離隔することができる。
【０１００】
よって、前記流動ガイド２２の内周面と前記上部モータハウジング２６の外周面は第１空気流路２３２を形成し、前記流動ガイド２２の外周面と前記第２ボディ１２の内周面は第２空気流路２３４を形成する。
【０１０１】
前記第２サイクロン部７３０から排出された空気は、前記第１空気流路２３２に沿って前記吸入モータ２０に流動し、前記吸入モータ２０から排出された空気は、前記第２空気流路２３４に沿って流動した後外部に排出される。よって、前記第２空気流路２３４は、排気流路の役割をする。
【０１０２】
前記ハンドル部３は、使用者が把持するためのハンドル３０と、前記ハンドル３０の下側に配置されるバッテリーハウジング６０を含むことができる。
【０１０３】
前記ハンドル３０は、前記吸入モータ２０の後方に位置される。
【０１０４】
方向に対して定義すると、前記掃除機１において前記吸入モータ２０を基準として、前記吸入部５が位置する方向が前方であり、前記ハンドル３０が位置する方向が後方である。
【０１０５】
前記バッテリー４０は、前記第１ボディ１０の後方に位置される。よって、前記吸入モータ２０と前記バッテリー４０は、上下方向に重ならないように配置され、配置高さも異なるように配置される。
【０１０６】
このような本実施例によれば、前記ハンドル３０を基準として、重さが重い吸入モータ２０が前記ハンドル３０の前方に位置され、重さが重いバッテリー４０が前記ハンドル３０の下方に位置されるので、前記掃除機１全体的に重さが均等に分配される。使用者が前記ハンドル３０を把持して掃除をする時、使用者の手首に負担を与えることが防止される。即ち、掃除機１の前方と後方に重さが重い構成が分散して配置され、かつ、相互異なる高さに配置されるので、掃除機１の重心がいずれか一側に傾くことが防止される。
【０１０７】
前記バッテリー４０が前記ハンドル３０の下方に位置され、前記吸入モータ２０は、前記ハンドル３０の前方に位置されるので、前記ハンドル３０の上方には何の構成が存在しなくなる。即ち、前記ハンドル３０の上面は、前記掃除機１の上面一部外観を形成する。
【０１０８】
よって、前記ハンドル３０を把持して使用する過程で、掃除機１の一構成が使用者の腕に接触することが防止される。
【０１０９】
前記ハンドル３０は、上下方向に延長され、使用者が把持できる第１延長部３１０と、前記第１延長部３１０の上側から前記吸入モータ２０に向かって延長される第２延長部３２０を含むことができる。前記第２延長部３２０は、少なくとも一部が水平方向に延長される。
【０１１０】
本実施例において、前記第１延長部３１０は、使用者が把持できる部分(使用者の手の平が接触できる部分)として、グリップ部ということもできる。
【０１１１】
前記第１延長部３１０には、使用者が前記第１延長部３１０を把持した状態で手が前記第１延長部３１０の長手方向(図２では上下方向)に移動することを防止するための移動制限部３１２が備えられる。前記移動制限部３１２は、前記第１延長部３１０から前記吸入部５に向かって延長される。
【０１１２】
前記移動制限部３１２は、前記第２延長部３２０と離隔して配置される。よって、前記第１延長部３１０を把持した状態で一部指は、前記移動制限部３１２の上方に位置され、残りの指は、前記移動制限部３１２の下方に位置される。
【０１１３】
一例として、人差し指と中指の間に前記移動制限部３１２が位置される。
【０１１４】
このような配置によれば、使用者が前記第１延長部３１０を把持した状態で前記吸入部５の長手方向の軸Ａ１が使用者の手首を通ることができる。
【０１１５】
前記吸入部５の長手方向の軸Ａ１が使用者の手首を通る場合、使用者の腕が伸ばされた状態で前記吸入部５の長手方向の軸Ａ１は、使用者の腕の延長方向と実質的に一直線となる。よって、このような状態では、使用者が前記ハンドル３０を把持して掃除機１を押したり引く時に必要な使用者の力が最小化される長所がある。
【０１１６】
前記ハンドル３０は、操作部３２６を含むことができる。一例として、前記操作部３２６は、前記第２延長部３２０に形成される傾斜面に位置される。前記操作部３２６を介して吸入モータ２０の制御命令を入力することができる。一例として、前記操作部３２６を利用して前記吸入モータ２０のオン命令及びオフ命令を入力することができる。また、前記操作部３２６を介して、前記吸入モータ２０がオンされた状態で吸入モータ２０の吸入力の強度を調節することができる。
【０１１７】
前記操作部３２６は、使用者に向かうように配置される。前記ハンドル３０を基準として前記操作部３２６は、前記移動制限部３１２の反対側に位置される。
【０１１８】
前記操作部３２６は、前記移動制限部３１２より高く位置される。よって、使用者が前記第１延長部３１０を把持した状態で親指で簡単に前記操作部３２６を操作することができる。
【０１１９】
また、前記第１延長部３１０から離れた位置に前記操作部３２６が位置されるので、前記第１延長部３１０を把持した状態で掃除を行う時、不本意に前記操作部３２６が操作されることが防止される。
【０１２０】
前記第２延長部３２０には、作動状態を表示するための表示部３２２が備えられる。前記表示部３２２は、一例として、前記第２延長部３２０の上面に位置される。よって、使用者が掃除を行う過程で、前記第２延長部３２０の上面に位置した表示部３２２を容易に確認することができる。前記表示部３２２は、一例として、バッテリー４０の残量、吸入モータの強度などを表示することができる。
【０１２１】
前記表示部３２２は、制限されるものではないが、複数の発光部を含むことができる。前記複数の発光部は、前記第２延長部３２０の長手方向に離隔して配列される。
【０１２２】
前記バッテリーハウジング６０は、前記第１延長部３１０の下側に位置され、前記第１延長部３１０と一体で形成される。
【０１２３】
前記バッテリー４０は、前記バッテリーハウジング６０に分離可能に収容される。
【０１２４】
一例として、前記バッテリー４０は、前記バッテリーハウジング６０の下方から前記バッテリーハウジング６０の内部に挿入される。
【０１２５】
前記バッテリーハウジング６０の後面と前記第１延長部３１０の後面は、連続的な面を形成することができる。よって、前記バッテリーハウジング６０と前記第１延長部３１０が一体感を持つことができる。
【０１２６】
前記バッテリー４０が前記バッテリーハウジング６０に収容された状態で前記バッテリー４０の下面が外部に露出する。よって、前記掃除機１を床に置く時、前記バッテリー４０が床に置かれる。
【０１２７】
このような構造によれば、前記バッテリー４０を前記バッテリーハウジング６０から直接分離できる長所がある。
【０１２８】
また、前記バッテリー４０の下面が外部に露出するので、前記バッテリー４０の下面が掃除機１の外部の空気と直接接触することができ、前記バッテリー４０の冷却性能が向上される。
【０１２９】
一方、図３を参照すると、前記掃除機１は、前記吸入モータ２０を通った空気が排出される空気排出口５２２を有するフィルタ機構５０をさらに含むことができる。前記空気排出口５２２は、一例として、複数の開口を含み、複数の開口は円周方向に配列される。よって、空気排出口５２２は、リング状に配列される。
【０１３０】
前記フィルタ機構５０は、前記本体２の上側に分離可能に結合される。
【０１３１】
前記フィルタ機構５０が前記本体２に結合された状態で、前記フィルタ機構５０の一部は、前記第２ボディ１２の外側に位置される。よって、前記フィルタ機構５０の一部は、前記本体２の上側開口を介して本体２の内部に引入され、他の一部は、前記本体２の外部に突出する。
【０１３２】
前記本体２の高さは、前記ハンドル３０の高さと実質的に同一であってもよい。よって、前記フィルタ機構５０は、前記本体２の上方に突出して使用者が前記フィルタ機構５０を把持した状態で前記フィルタ機構５０を容易に分離することができる。
【０１３３】
前記フィルタ機構５０が前記本体２に結合された状態で、前記フィルタ機構５０の上側に前記空気排出口５２２が位置される。よって、前記吸入モータ２０から排出された空気は、前記本体２の上方に排出される。
【０１３４】
本実施例によれば、掃除機１を利用して掃除する過程で、空気排出口５２２から排出された空気が使用者側に流動することが防止される。
【０１３５】
前記本体２は、前記吸入モータ２０に流入する空気をフィルタリングするためのプレフィルタ２９をさらに含むことができる。前記プレフィルタ２９は、前記流動ガイド２２内に位置される。また、前記プレフィルタ２９は、前記上部モータハウジング２６に安着し、前記上部モータハウジング２６の一部を取り囲むことができる。即ち、前記上部モータハウジング２６は、前記プレフィルタ２９を支持するためのフィルタ支持部を含むことができる。
【０１３６】
図６は本発明の一実施例に係るボディカバーが回転した状態を示す図面であり、図７及び図８を本発明の一実施例に係る埃分離モジュールが本体から分離される様子を示す図面である。
【０１３７】
図６〜図８を参照すると、前記ボディカバー１６の回転のために前記ボタン１８を操作すると、前記ボディカバー１６がヒンジ１６ａを中心に回転して前記ダストボックス１２０の下側を開放させる。
【０１３８】
前記ボディカバー１６が前記ダストボックス１２０の下側を開放させると、前記埃分離モジュール７００のうち少なくとも前記貯蔵ユニット７７０が外部に露出する。
【０１３９】
前記ボディカバー１６が前記ダストボックス１２０を閉じた状態で、前記貯蔵ユニット７７０は、前記ボディカバー１６に安着するので、前記ボディカバー１６が前記ダストボックス１２０を開放させると、前記貯蔵ユニット７７０の下側は、前記ダストボックス１２０の排出開口１２０ａと近接するように位置される。このとき、前記排出開口１２０ａは、ダストボックス１２０の埃を空けるために埃が排出される部分である。
【０１４０】
前記埃分離モジュール７００は、上述したように、前記本体１０(一例として、排出ガイド２８)に分離可能に連結される。
【０１４１】
よって、使用者は、前記排出開口１２０ａを介して前記埃分離モジュール７００のうち貯蔵ユニット７７０を把持した状態で、前記埃分離モジュール７００を前記本体２から下方に分離することができる。
【０１４２】
前記埃分離モジュール７００は、前記排出開口１２０ａを介して前記本体２の外部に抜けることができる。
【０１４３】
前記排出ガイド２８が前記下側開口２８２を含むので、前記埃分離モジュール７００が前記本体２の外部に抜けると、前記モータハウジング、一例として下部モータハウジング２７が外部に露出する。
【０１４４】
前記埃分離モジュール７００は、フィルタ部７１０と前記第２サイクロン部７３０を含むので、前記埃分離モジュール７００が前記本体２から分離されると、使用者は、前記フィルタ部７１０及び前記第２サイクロン部７３０を容易に掃除することができる。
【０１４５】
本実施例によれば、前記フィルタ部７１０と前記第２サイクロン部７３０を掃除することができるので、前記フィルタ部７１０や第２サイクロン部７３０の埃排出口が詰まることや詰まった状態が維持されることが防止されるので、埃分離性能が低下することが防止される。
【０１４６】
また、前記埃分離モジュール７００が前記本体２から分離されると、使用者が前記第１ボディ１０の内部空間(またはダストボックス)に容易に接近することができ、前記第１ボディ１０の内周面を容易に掃除することができる。
【０１４７】
前記第１ボディ１０の少なくとも一部は透明な材質で形成され、前記第１ボディ１０の内周面が掃除された状態では、前記第１ボディ１０を介して前記第１埃貯蔵部１２１に貯蔵された埃の量を確認することができる。
【０１４８】
本実施例で、使用者が前記第１ボディ１０の内周面を容易に掃除することができるので、前記第１埃貯蔵部１２１に貯蔵された埃の量をより正確に確認できることになる。
【０１４９】
図９は本発明の一実施例に係る埃分離モジュールの分解斜視図であり、図１０は本発明の一実施例に係る埃分離モジュールの断面斜視図であり、図１１は本発明の一実施例に係る埃分離モジュールが排出ガイドに結合された状態を示す断面図である。
【０１５０】
図７〜図１１を参照すると、本実施例の埃分離モジュール７００は、フィルタ部７１０、第２サイクロン部７３０を含むことができる。
【０１５１】
また、前記埃分離モジュール７７０は、貯蔵ユニット７７０をさらに含むことができる。
【０１５２】
前記フィルタ部７１０は、円筒状に形成され、上側及び下側が開放される。そして、前記フィルタ部７１０の円周方向に空気が通過するための複数の開口を含むことができる。一例として、前記フィルタ部７１０は、空気が通過する過程で空気をフィルタリングするメッシュ部を含むことができる。
【０１５３】
前記フィルタ部７１０は、前記第２サイクロン部７３０を取り囲むことができる。よって、前記フィルタ部７１０を通過しながらフィルタリングされた空気が前記第２サイクロン部７３０に流動することができる。
【０１５４】
前記第２サイクロン部７３０は、サイクロンモジュール７５０と、前記サイクロンモジュール７５０と連通される案内モジュール７４０を含むことができる。
【０１５５】
そして、前記埃分離モジュールは、前記第２サイクロン部７３０を前記排出ガイド２８と連結させるための連結モジュール７６０をさらに含むことができる。
【０１５６】
前記サイクロンモジュール７５０は、複数のサイクロンボディ７５２を含むことができる。前記複数のサイクロンボディ７５２は一体で形成される。
【０１５７】
制限されるものではないが、前記複数のサイクロンボディ７５２は、中央部に１つ以上のサイクロンボディが配置され、残りのサイクロンボディが中央部に配置されたサイクロンボディを取り囲むように配置される。
【０１５８】
本明細書で、中央部に配置されるサイクロンボディをインナーサイクロンボディと称し、前記インナーサイクロンボディを取り囲むように配置されるサイクロンボディをアウターサイクロンボディと称することにする。
【０１５９】
前記各サイクロンボディ７５２は、第１サイクロンボディ７５３と、前記第１サイクロンボディ７５３から下側に延長される第２サイクロンボディ７５４を含むことができる。
【０１６０】
前記第１サイクロンボディ７５３は、一例として円筒状に形成され、前記第２サイクロンボディ７５４は円錐または円錐台状に形成される。
【０１６１】
前記サイクロンボディ７５２は、埃が排出される埃排出部７５５を含むことができる。
【０１６２】
前記サイクロンモジュール７５０は、前記連結モジュール７６０との結合のためのガイド結合部７５７をさらに含むことができる。
【０１６３】
前記ガイド結合部７５７は、前記複数のアウターサイクロンボディのうちの一部のアウターサイクロンボディと前記インナーサイクロンボディの間に位置される。
【０１６４】
前記ガイド結合部７５７は、前記連結モジュール７６０に備えられる締結ボディ７６８を収容する収容部７５７ａと、前記収容部７５７ａに収容された締結ボディ７６８が安着するボディ安着部７５７ｂを含むことができる。
【０１６５】
前記締結ボディ７６８が前記ボディ安着部７５７ｂに安着した状態で、前記ボディ安着部７５７ｂの下側でスクリューのような締結部材が前記ボディ安着部７５７ｂと前記締結ボディ７６８を締結することができる。
【０１６６】
前記サイクロンモジュール７５０は、前記貯蔵ユニット７７０と結合されるための貯蔵ユニット結合部７５８をさらに含むことができる。
【０１６７】
前記貯蔵ユニット結合部７５８は、前記サイクロンボディ７５２において前記埃排出部７５５と隣接するように配置される。
【０１６８】
一例として、前記貯蔵ユニット結合部７５８は、前記第２サイクロンボディ７５４と一体で形成される。
【０１６９】
前記貯蔵ユニット結合部７５８の外周面には、結合フック７５９が備えられる。
【０１７０】
前記案内モジュール７４０は、前記サイクロンモジュール７５０の上側に安着することができ、空気を前記各サイクロンボディ７５２に案内し、前記各サイクロンボディ７５２から埃と分離された空気を前記排出ガイド２８に案内することができる。
【０１７１】
前記案内モジュール７４０は、空気入口７４３を備える案内ボディ７４２を含むことができる。前記案内ボディ７４２は、前記第１サイクロンボディ７５３と同じ直径を有するように円筒状に形成されてもよい。
【０１７２】
前記案内モジュール７４０は、前記案内ボディ７４２の内側に位置される空気出口７４５をさらに含むことができる。
【０１７３】
前記空気出口７４５は円筒形状に形成される。そして、前記空気出口７４５の上下の長さは、前記案内ボディ７４２の上下の長さより長く形成されてもよい。
【０１７４】
例えば、前記空気出口７４５の上端は、前記案内ボディ７４２の上端より高く位置され、前記空気出口７４５の下端は、前記案内ボディ７４２の下端より低く位置される。
【０１７５】
よって、前記案内モジュール７４０が前記サイクロンモジュール７５０の上側に安着すると、前記案内モジュール７４０の各空気出口７４５の一部は、前記各サイクロンボディ７５２の内部に引入される。
【０１７６】
そして、空気は、前記案内ボディ７４２に軸方向に流入することができる。前記案内ボディ７４２に軸方向に流入する空気が前記サイクロンボディ７５２の内周面に沿って螺旋流動できるように、前記案内ボディ７４２の内周面と前記空気出口７４５の間には、空気の流動をガイドするための螺旋形態の流動ガイドリブ７４４が備えられる。
【０１７７】
本実施例によれば、空気が前記案内ボディ７４２に軸方向に流動することで、前記案内モジュール７４０の幅が大きくなることが防止される。
【０１７８】
また、前記案内モジュール７４０の空気出口７４５が前記サイクロンボディ７５２に挿入されることで、前記サイクロンボディ７５２に引入された空気が埃と分離されず直接排出される現象が減少する。
【０１７９】
前記連結モジュール７６０は、前記第２サイクロン部７３０(一例として、案内モジュール７４０)をカバーするカバー部７６２と、前記排出ガイド２８に連結される連結部７６１を含むことができる。
【０１８０】
前記カバー部７６２は、一例として円盤状に形成され、前記連結部７６１は、前記カバー部７６２の縁端部から上方に延長される。
【０１８１】
前記カバー部７６２には、前記案内モジュール７４０の空気出口７４５と連通される連通孔７６３が備えられる。前記カバー部７６２には、前記案内モジュール７４０の複数の空気出口７４５と同じ数の連通孔７６３が備えられる。
【０１８２】
前記カバー部７６２が前記案内モジュール７４０の上側に安着すると、前記カバー部７６２の連通孔７６３が前記案内モジュール７４０の空気出口７４５と整列する。
【０１８３】
よって、前記空気出口７４５内の空気は、前記連通孔７６３を通過した後前記排出ガイド２８に流動する。
【０１８４】
前記カバー部７６２には、前記サイクロンモジュール７５０と結合されるための締結ボディ７６８が備えられる。
【０１８５】
前記締結ボディ７６８は、前記カバー部７６２から下方に延長される。前記締結ボディ７６８が前記サイクロンモジュール７５０と締結されるように、前記締結ボディ７６８の上下の長さは、前記案内モジュール７４０の上下の長さより長く形成される。
【０１８６】
前記案内モジュール７４０は、前記締結ボディ７６７が貫通するボディガイド７４６をさらに含むことができる。
【０１８７】
よって、前記カバー部７６２が前記案内モジュール７４０に安着すると、前記締結ボディ７６８は、前記ボディガイド７４６を貫通して前記サイクロンモジュール７５０の収容部７５７ａに収容される。制限されるものではないが、前記ボディガイド７４６は円筒状に形成されてもよい。
【０１８８】
よって、前記締結ボディ７６８は、前記案内モジュール７４０の上側から前記案内モジュール７４０を通って前記サイクロンモジュール７５０の収容部７５７ａに収容される。
【０１８９】
前記カバー部７６２の一部は、前記フィルタ部７１０の上側開口を介して前記フィルタ部７１０の内部に引入される。前記カバー部７６２の外側には、前記フィルタ部７４１の上端が係止されるためのストッパー７６４が形成される。前記ストッパー７６４によって前記カバー部７６２の挿入深さが決定され、前記ストッパー７６４は、前記フィルタ部７１０の上端に安着することができる。
【０１９０】
前記排出ガイド２８は、前記連結部７６１と連結されるための第１結合部２８６を含むことができる。
【０１９１】
前記排出ガイド２８の下側一部は円筒状に形成され、前記円筒部分２８１に前記第１結合部２８６が形成される。
【０１９２】
前記第１結合部２８６は、前記円筒部分２８１の外周面から突出する突出部であってもよく、水平方向に一定長さを有するように延長される。
【０１９３】
前記排出ガイド２８の底(一例として、円筒部分２８１)の底には、前記連通孔７６３と連通されるための下側開口２８２が備えられる。一例として、１つの下側開口２８２が前記排出ガイド２８の底に備えられて複数の連通孔７６３と連通される。または、前記排出ガイド２８の底に複数の下側開口が形成され、複数の下側開口が前記複数の貫通孔７６３と連通される。即ち、前記排出ガイド２８に備えられる開口２８２の個数は、前記複数の貫通孔７６３の個数と同一または少なくてもよい。
【０１９４】
前記連結部７６１は、前記排出ガイド２８と結合されるための第２結合部７６５を含むことができる。前記連結部７６１は、前記排出ガイド２８で少なくとも前記円筒部分２８１を取り囲むように結合される。
【０１９５】
前記第２結合部７６５は、前記連結部７６１の内周面に形成される。前記第２結合部７６５は、前記連結部７６１の上端から下方に延長される第１溝７６６と、前記第１溝７６６から交差する方向、一例として水平方向に延長される第２溝７６７を含むことができる。即ち、前記第２結合部７６５は「Ｌ」状を有することができる。
【０１９６】
本実施例で、前記第１結合部２８６の左右の長さは、前記第１溝７６６の左右の幅より小さく形成される。
【０１９７】
前記排出ガイド２８の一部が円筒状に形成されるので、前記連結部７６１の第２結合部７６５と前記排出ガイド２８の第１結合部２８６によって、前記連結モジュール７６０は、回転動作によって前記排出ガイド２８と結合または結合解除される。
【０１９８】
具体的に、前記連結モジュール７６０を前記排出ガイド２８と結合させるために、前記第１結合部２８６を前記第２結合部７６５の第１溝７６６と整列させる。
【０１９９】
この状態で、前記第１結合部２８６が前記第１溝７６６に挿入されるようにする。そうすると、前記第１溝７６６内で前記第１結合部２８６と前記第２溝７６７が整列する。この状態で、前記連結モジュール７６０を一方向に回転させると、前記第１結合部２８６が前記第２溝７６７に挿入され、前記連結モジュール７６０と前記排出ガイド２８の結合は完了する。
【０２００】
このとき、前記連結部７６１と前記排出ガイド２８の結合力が増加するように、前記第１溝７６６の陥没深さより前記第２溝７６７の陥没深さが小さいように形成される。
【０２０１】
そして、前記第１溝７６６の陥没深さは、前記第１結合部２８６の突出厚さと同一または小さくてもよい。
【０２０２】
この場合、前記第１溝７６６に位置した第１結合部２８６が前記第２溝７６７に移動する過程で、前記第１結合部２８６と前記第２溝７６７の接触摩擦力が増加して前記連結部７６１と前記排出ガイド２８の結合力が増加する。
【０２０３】
一方、前記連結部７６１において前記第２溝７６７と隣接した位置にはスロット７６１ａが備えられる。前記スロット７６１ａは、前記連結部７６１の上端から下方に陥没するように形成される。
【０２０４】
前記排出ガイド２８と前記連結モジュール７６０の間にはシール２８４が備えられる。
【０２０５】
前記シール２８４は、前記排出ガイド２８と前記連結モジュール７６０のうちの１つ以上に備えられてもよい。
【０２０６】
図１１には、一例として、前記シール２８４が前記排出ガイド２８に備えられるものが図示される。
【０２０７】
前記排出ガイド２８は、前記シール２８４が結合されるためのシール結合部２８３をさらに含むことができる。
【０２０８】
前記シール結合部２８３は、一例として、前記排出ガイド２８の下面に備えられてもよい。
【０２０９】
前記シール２８４は、一例としてリング状に形成され、前記シール結合部２８３はリング状の溝であってもよい。
【０２１０】
前記シール２８４は、前記連結モジュール７６０が前記排出ガイド２８に結合された状態で前記カバー部７６２に安着する。
【０２１１】
前記シール２８４は、前記カバー部７６２に安着した状態で複数の連通孔７６３を取り囲むように配置される。また、前記シール２８４の内径は、前記排出ガイド２８の下側開口２８２の直径より大きく形成される。
【０２１２】
よって、前記シール２８４によって前記連通孔７６３を通過した空気が前記排出ガイド２８と前記連結部７６１の間で漏れることが防止される。
【０２１３】
前記シール２８４と前記カバー部７６２の接触力が増加するように、前記連結モジュール７６０が前記排出ガイド２８に結合されると、前記シール２８４が前記カバー部７６２によって加圧される。
【０２１４】
本実施例によれば、前記埃分離モジュール７００が前記本体２から分離でき、前記埃分離モジュール７００が本体２に装着された状態では、前記シール２８４によって、前記排出ガイド２８と前記埃分離モジュール７００のシールが維持される。よって、前記埃分離モジュール７００から排出された空気が前記第１サイクロン部１１０に漏れることが防止される。
【０２１５】
特に、シール性能が増加するように、前記排出ガイド２８の第１結合部２８６が前記第１溝７６６で前記第２溝７６７と整列される位置に到達する場合、前記シール２８４はカバー部７６２によって加圧される。そして、前記シール２８４が加圧された状態で、前記埃分離モジュール７００が回転して前記第１結合部２８６が前記第２溝７６７に移動することができる。
【０２１６】
前記貯蔵ユニット７７０は、前記フィルタ部７１０の下側を支持することができる。前記貯蔵ユニット７７０は、インナーボディ７７１と、前記インナーボディ７７１を取り囲むアウターボディ７８０を含むことができる。
【０２１７】
前記インナーボディ７７１は、前記第２埃貯蔵部１２３を形成する第１部分７７１ａを含むことができる。前記インナーボディ７７１の第１部分７７１ａは、一例として、上側から下側に行くほど直径が減るように形成される。
【０２１８】
前記インナーボディ７７１の第１部分７７１ａが上側から下側に行くほど直径が減る場合、前記ダストボックス１２０内で前記第１埃貯蔵部１２１の容積が増加する。
【０２１９】
前記第１埃貯蔵部１２１には、比較的嵩が大きい埃が貯蔵されるが、前記第１埃貯蔵部１２１の容積が大きくなると、前記第１埃貯蔵部１２１に埃が一杯となるまでの時間が増加し、埃を空ける回数が減少する。
【０２２０】
前記インナーボディ７７１は、前記第１部分７７１ａの上側に位置される第２部分７７３をさらに含むことができる。
【０２２１】
前記インナーボディ７７１の第２部分７７３は、一例として円筒状に形成されてもよい。前記第２サイクロン部７３０の下側の一部は、前記インナーボディ７７１の第２部分７７３に挿入される。
【０２２２】
前記インナーボディ７７１は、前記結合フック７５９と結合されるためのフック結合部７７４をさらに含むことができる。前記フック結合部７７４は、一例として前記第２部分７７３に形成される。
【０２２３】
前記フック結合部７７４は、前記インナーボディ７７１の第２部分７７３の内周面に形成される溝や前記第２部分７７３を貫通するホールであってもよい。
【０２２４】
例えば、前記サイクロンモジュール７５０の貯蔵ユニット結合部７５８が前記インナーボディ７７１に収容されると、前記結合フック７５９が前記フック結合部７７４に結合され、前記第２サイクロン部７３０と前記貯蔵ユニット７７０が結合される。
【０２２５】
前記インナーボディ７７１は、前記貯蔵ユニット結合部７５８の内側領域に挿入される漏れ防止リブ７７５をさらに含むことができる。前記漏れ防止リブ７７５の上端は、前記フック結合部７７４より高く位置され、前記貯蔵ユニット７７０内に流入した空気が前記フック結合部７７４側に流動することを遮断する。
【０２２６】
前記インナーボディ７７１の第２部分７７３の外周面には、前記インナーボディ７７１とアウターボディ７８０の間のシールのための１つ以上のシーラー７７８が結合される。前記シーラー７７８は、リング状に形成され、前記インナーボディ７７１の前記第２部分７７３の外周面には、前記シーラー７７８が安着するためのシーラー安着溝７７７が形成される。
【０２２７】
図１１には、一例として、複数のシーラー７７８が前記インナーボディ７７１の外周面に結合されるものが図示される。この場合、前記複数のシーラー７７８は、上下方向に離隔して配置される。
【０２２８】
前記インナーボディ７７１の第２部分７７３の外周面には、前記アウターボディ７８０との固定のための１つ以上の固定突起７７６が備えられる。
【０２２９】
前記インナーボディ７７１は、前記フィルタ部７１０の下端が安着する安着面７７９をさらに含むことができる。
【０２３０】
一例として、前記安着面７７９は、前記第２部分７７３に形成される。前記第２部分７７３に前記フィルタ部７１０の下端が安着するために、前記第２部分７７３の一部外径は、前記フィルタ部７１０の内径より小さく形成され、前記第２部分７７３の他の一部外径は、前記フィルタ７１０の内径より大きく形成される。
【０２３１】
本実施例で、前記フィルタ部７１０は別途の固定手段なしに位置が固定される。
【０２３２】
例えば、前記フィルタ部７１０の下端を前記貯蔵ユニット７７０の安着面７７９に安着させた状態で、前記第２サイクロン部７３０を前記貯蔵ユニット７７０に結合させると、前記フィルタ部７１０の上端部が前記連結モジュール７６０のストッパー７６４に接触することになる。この状態では、前記フィルタ部７１０の上下及び水平移動が制限される。
【０２３３】
前記アウターボディ７８０は、前記インナーボディ７７１の外側で前記インナーボディ７７１の第２部分７７３を取り囲むカバー部７８１をさらに含むことができる。前記カバー部７８１は円筒状に形成されてもよい。
【０２３４】
前記カバー部７８１には、前記１つ以上の固定突起７７６が固定される突起結合部７８３が備えられる。前記突起結合部７８３は、一例として溝であってもよい。
【０２３５】
前記カバー部７８１の内側には、前記インナーボディ７７１の第２部分７７３の下側を支持する支持リブ７８２が備えられる。
【０２３６】
図１２は本発明の一実施例に係る掃除機における空気流動を示すための掃除機の横断面図であり、図１３は本発明の一実施例に係る掃除機における空気流動を示すための掃除機の縦断面図である。
【０２３７】
図１〜図１３を参照すると、前記吸入モータ２０の作動によって前記吸入部５を介して吸入された空気と埃は、前記第１サイクロン部１１０の内周面に沿って流動して相互分離される。
【０２３８】
空気と分離された埃は、下方に流動して前記第１埃貯蔵部１２１に貯蔵される。埃と分離された空気は、前記埃分離モジュール７００のフィルタ部７１０を通ってから前記第２サイクロン部７３０の空気入口７４３に流動する。
【０２３９】
一例として、前記第１サイクロン部１１０で埃と分離された空気は、前記フィルタ部７１０を通過しながらフィルタリングされた後、前記案内モジュール７４０によって前記サイクロンモジュール７５０に案内されて埃分離過程が再度行われる。
【０２４０】
前記サイクロンモジュール７５０で空気と分離された埃は、前記埃排出部７５５を介して排出された後下方に流動して前記第２埃貯蔵部１２３に貯蔵される。反面、前記サイクロンモジュール７５０で埃と分離された空気は、前記空気出口７４５を介して前記排出ガイド２８に排出される。
【０２４１】
前記排出ガイド２８に排出された空気は、前記排出ガイド２８に沿って流動した後前記下部モータハウジング２７に沿って流動し、前記流動ガイド２２内の第１空気流路２３２に沿って上昇する。そして、前記第１空気流路２３２の空気は、前記プレフィルタ２９を通過する。
【０２４２】
前記プレフィルタ２９を通過した空気は、前記上部モータハウジング２７内の吸入モータ２０を通過する。空気は、前記インペラ２００によって前記吸入モータ２０の内部を流動した後前記下部モータハウジング２８に排出される。そして、前記下部モータハウジング２８に排出された空気は、前記第２空気流路２３４に流動する。
【０２４３】
そして、前記第２空気流路２３４に流動した空気は、前記フィルタ機構５０を通ってから前記空気排出口５２２を介して外部に排出される。
【０２４４】
一方、上述したように、前記埃分離モジュール７００を掃除するために、前記ボディカバー１６を回転させ、前記埃分離モジュール７００を一方向に回転させた後前記埃分離モジュール７００を引っ張ると、前記埃分離モジュール７００を前記本体２から分離させることができる。
【図１】
2021511945.tif 000003
【図２】
2021511945.tif 000004
【図３】
2021511945.tif 000005
【図４】
2021511945.tif 000006
【図５】
2021511945.tif 000007
【図６】
2021511945.tif 000008
【図７】
2021511945.tif 000009
【図８】
2021511945.tif 000010
【図９】
2021511945.tif 000011
【図１０】
2021511945.tif 000012
【図１１】
2021511945.tif 000013
【図１２】
2021511945.tif 000014
【図１３】
2021511945.tif 000015
【国際調査報告】
2021511945.tif 000016
2021511945.tif 000017
2021511945.tif 000018
2021511945.tif 000019
2021511945.tif 000020
2021511945.tif 000021
2021511945.tif 000022
2021511945.tif 000023
2021511945.tif 000024
2021511945.tif 000025
2021511945.tif 000026
2021511945.tif 000027
2021511945.tif 000028
2021511945.tif 000029